(57)【要約】【課題】端末を使わない作業者がいるとき照明をオフせず、遠隔地からでも監視できるようにした低コストな節電制御システムを得る。【解決手段】照明器具をオンオフ制御する照明制御装置４に通信線１ａを介して接続され、端末とネットワーク３を介して接続されたネットワーク制御装置１は、各端末のアドレス情報及び通信部１ｂを介して取得された照明制御装置４の照明器具の制御状態を記憶する制御状態記憶部１ｃと、この制御状態記憶部１ｃに記憶された情報に基づいてページデータを生成するページデータ生成部１ｅとを有し、端末の稼動状態、停止状態を定期的に監視し、最後の稼動状態の一台を残して残り全てが稼動状態から停止状態に移行したときに、ウェブサーバ１ｉを介して最後の稼動状態の端末に最後の端末であることを示すページデータを表示させるようにした。【選択図】        図２
2005004646.tif 000002
【特許請求の範囲】
【請求項１】
制御対象機器をオンオフ制御する制御装置、上記制御対象機器に関連付けられて配置された端末装置、及び上記制御装置に通信線を介して接続されると共に上記端末装置とネットワークを介して接続され、上記制御対象機器の被制御状態及び上記制御対象機器と上記端末装置との関連付け情報を記憶する制御状態記憶部を有し、上記制御状態記憶部の情報を用いて上記制御対象機器の節電制御を行うネットワーク制御装置を備え、上記ネットワーク制御装置は、上記端末装置の稼動状態、停止状態を定期的に監視し、上記複数の端末装置の内、最後の稼動状態の一台を残して残り全てが稼動状態から停止状態に移行したときに、上記最後の稼動状態の端末装置に最後の端末装置であることを知らせるメッセージを伝送することを特徴とする節電制御システム。
【請求項２】
制御対象機器をオンオフ制御する制御装置、上記制御対象機器に関連付けられて配置され、省電力モード及び非省電力モードを有する端末装置、及び上記制御装置に通信線を介して接続されると共に上記端末装置とネットワークを介して接続され、上記制御対象機器の被制御状態及び上記制御対象機器と上記端末装置との関連付け情報を記憶する制御状態記憶部を有し、上記制御状態記憶部の情報を用いて上記制御対象機器の節電制御を行うネットワーク制御装置を備え、上記ネットワーク制御装置は、上記端末装置の省電力モード、非省電力モードを定期的に監視し、上記複数の端末装置の内、最後の非省電力モードの一台を残して残り全てが省電力モードに移行したときに、最後の非省電力モードの端末装置に最後の端末装置であることを知らせるメッセージを伝送することを特徴とする節電制御システム。
【請求項３】
制御対象機器をオンオフ制御する制御装置、上記制御対象機器に関連付けられて配置された端末装置、上記制御装置に通信線を介して接続されると共に上記端末装置とネットワークを介して接続され、上記制御対象機器の被制御状態及び上記制御対象機器と上記端末装置との関連付け情報を記憶する制御状態記憶部を有し、上記制御状態記憶部の情報を用いて上記制御対象機器の節電制御を行うネットワーク制御装置、及び上記端末装置を操作する人の在、不在を監視する人感センサを備え、上記ネットワーク制御装置は、上記人感センサの情報に基づき、上記複数の端末装置の内、最後の在の一台を残して残り全てが不在に移行したときに、上記最後の不在の端末装置に最後の端末装置であることを知らせるメッセージを伝送することを特徴とする節電制御システム。
【請求項４】
制御対象機器をオンオフ制御する制御装置、上記制御対象機器に関連付けられて配置され、オフ動作プログラムによりオフされる端末装置、及び上記制御装置に通信線を介して接続されると共に上記端末装置とネットワークを介して接続され、上記制御対象機器の被制御状態及び上記制御対象機器と上記端末装置との関連付け情報を記憶する制御状態記憶部を有し、上記制御状態記憶部の情報を用いて上記制御対象機器の節電制御を行うネットワーク制御装置を備え、上記ネットワーク制御装置は、上記端末装置のオフ動作プログラムを監視し、上記複数の端末装置の内、最後の一台を残して残り全てがオフ動作プログラムを実行したときに、上記最後の端末装置に最後の端末装置であることを知らせるメッセージを伝送することを特徴とする節電制御システム。
【請求項５】
上記メッセージを伝送された端末のＷＷＷブラウザを用いて、上記制御対象機器をオフするようにしたことを特徴とする請求項１〜請求項４のいずれか１項記載の節電制御システム。
【請求項６】
上記制御対象機器は、省電力モードを有し、上記ネットワーク制御装置は、上記最後の端末装置であることを知らせるメッセージを伝送したときに、上記制御対象機器を省電力モードにすることを特徴とする請求項１〜請求項４のいずれか１項記載の節電制御システム。
【請求項７】
上記制御対象機器、上記端末装置及び上記制御装置は、複数の群に分割され、上記ネットワーク制御装置は、上記群毎に管理することを特徴とする請求項１〜請求項６のいずれか１項記載の節電制御システム。
【請求項８】
前記端末装置は、ＷＷＷブラウザを格納するブラウザ格納部と、上記ＷＷＷブラウザにより表示を行う表示部とにより構成され、上記ネットワーク制御装置は、上記制御対象機器及び上記端末装置が配置されたオフィスの部屋画像を記憶する画像情報記憶部と、上記部屋画像の配置位置がＨＴＭＬ言語で記述されたＨＴＭＬ情報を記憶するＨＴＭＬ情報記憶部と、上記画像情報記憶部に記憶されたオフィスの部屋画像を上記ＨＴＭＬ情報記憶部に記憶された配置位置に配置したページデータを作成するページデータ生成部とを有し、上記ページデータ生成部により作成されたページデータを上記端末装置の表示部に表示させ、上記ページデータが表示された端末装置により、上記端末装置を制御対象機器の群に関連付ける動作が行なわれた場合に、上記端末装置のアドレス情報と上記制御対象機器の群情報が上記端末装置から上記ネットワーク制御装置に伝送され、上記制御状態記憶部に保存されることを特徴とする請求項７記載の節電制御システム。
【請求項９】
上記端末装置を上記制御対象機器の群に関連付ける動作は、上記端末装置に表示されたページデータの入力セルに上記制御対象機器の群のアドレス情報を入力することにより行われることを特徴とする請求項８記載の節電制御システム。
【請求項１０】
上記制御対象機器は、アドレス設定され、天井に配設された照明器具であり、上記制御装置は、上記照明器具を順次１灯ずつ点灯させると共に上記点灯させた照明器具のアドレスを上記端末装置に伝送する点灯制御回路によって構成され、上記天井の照明器具に向けて上記照明器具からの光を受光するように配置されると共に上記端末装置に接続された位置検出用の受光センサを備え、上記端末装置は、上記照明器具のアドレスと上記照明器具からの受光量を一対にして記憶する記憶回路と、上記受光量の内の最大値を検出する演算回路を有し、上記演算回路により最大値の受光量の照明器具を検出すると共に、上記検出された最大値の照明器具のアドレスと上記端末装置のアドレスとを上記ネットワーク制御装置に伝送することを特徴とする請求項１〜請求項７のいずれか１項記載の節電制御システム。
【発明の詳細な説明】
【０００１】
【発明の属する技術分野】
この発明は、オフィスにおける作業者の有無を監視して、その監視情報に応じて電気機器をオンオフすることにより節電を図るようにした節電制御システムに関するものである。
【０００２】
【従来の技術】
従来のオフィスにおける節電制御システムとしての照明管理システムは、天井には照明オン／オフ手段によって点灯／消灯が制御される複数の照明が配設され、フロアには複数のパーソナルコンピュータが設置され、パーソナルコンピュータの電源がオフになった際に、パーソナルコンピュータを操作する作業者がいないと判断してその旨を照明オン／オフ手段に伝達し、作業者不在の照明を自動的に消灯させる。また人感センサを配設しておいて、作業者がいない場合には照明を自動的に消灯させるようになっている。（例えば特許文献１参照）
【０００３】
【特許文献】
特開２００２−５６９９０号公報（段落番号００１０−００１８、図１）
【０００４】
【発明が解決しようとする課題】
従来の節電制御システムとしての照明管理システムにおいては、人の不在を検知して照明を消灯を行なう方法として、複数あるすべての端末がオフした際に、照明制御装置は人がいないと自動的に判断して、その作業者のための照明を自動的に消灯していた。しかしながら、この場合、最後の作業者が端末をオフして作業をしようとしていたり、そもそも端末を操作していない人が同じ部屋にいて、すべての端末がオフすると、照明が消灯してしまい、作業に支障をきたすという問題があった。
【０００５】
また、ＬＡＮなどネットワークが整っていなかったため、照明制御装置と端末間を専用通信線で接続しなければならないためコストが高くなるという問題があった。
【０００６】
また、インターネットが整っていなかったため、遠隔地の端末から監視する場合、照明制御装置との間に専用通信線を接続しなければならないので、端末の台数が増えると専用通信線のコストが高くなるという問題があった。
【０００７】
また、オフィスなどの端末は、朝出勤して帰宅するまで通常定時内はつけっぱなしであることがほとんどであるため、帰宅時の自動消灯の機能は生かせるが、勤務定時内の日中の節電という意味での効果は少ないという問題があった。
【０００８】
また、人感センサは、端末のＬＡＮとは別に照明制御装置に直接伝達されていたため、特別の配線処理が必要であり、照明制御装置が遠い場所にある場合は、配線コストが高くなるという問題があった。
【０００９】
また、端末のアドレスは、手動で予め作業者有無判断手段である節電制御装置へ登録しなければならず、端末が多い場合は非常に煩雑な作業となり、また端末が移動した場合の登録が忘れがちになるという問題があった。
【００１０】
この発明は、上記のような課題を解決するためになされたものであり、端末を使わない作業者がいるとき照明をオフせず、遠隔地からでも監視できるようにした低コストな節電制御システムを得ることを目的にしている。
【００１１】
【課題を解決するための手段】
この発明に係わる節電制御システムにおいては、制御対象機器をオンオフ制御する制御装置、制御対象機器に関連付けられて配置された端末装置、及び制御装置に通信線を介して接続されると共に端末装置とネットワークを介して接続され、制御対象機器の被制御状態及び制御対象機器と端末装置との関連付け情報を記憶する制御状態記憶部を有し、制御状態記憶部の情報を用いて制御対象機器の節電制御を行うネットワーク制御装置を備え、ネットワーク制御装置は、端末装置の稼動状態、停止状態を定期的に監視し、複数の端末装置の内、最後の稼動状態の一台を残して残り全てが稼動状態から停止状態に移行したときに、最後の稼動状態の端末装置に最後の端末装置であることを知らせるメッセージを伝送するものである。
【００１２】
【発明の実施の形態】
実施の形態１．
以下に、図に基づいて節電制御システムとしての照明管理システムの場合を例にして、この発明の節電制御システムについて説明する。
図１は、この発明の実施の形態１による節電制御システムとしての照明システムを示す概念構成図である。
図１において、照明の節電制御システムは、ネットワーク制御装置１と、ネットワーク制御装置１にネットワーク３を介して接続された端末２、２０を備え、ネットワーク制御装置１は、通信線１ａを介して照明制御装置４（制御装置）と接続されている。制御対象機器である照明器具７、７０をオンオフする壁スイッチ６、６０が設けられている。リモコンブレーカ５、５０は、照明制御装置４の指令により、照明器具７、７０をオン／オフさせる。
【００１３】
複数の端末２０と、この端末２０が位置する領域を照明する複数の照明器具７０は、群ａを構成し、複数の照明器具７０は、壁スイッチ６０、リモコンブレーカ５０によりオンオフされる。複数の端末２と、この端末２が位置する領域を照明する複数の照明器具７は、群ｂを構成し、複数の照明器具７は、壁スイッチ６、リモコンブレーカ５によりオンオフされる。
なお、上述では、制御対象機器として照明器具を用いたが、制御対象機器は、照明器具の代りにエアコンなどでも良い。
【００１４】
図２は、この発明の実施の形態１による節電制御システムのネットワーク制御装置を示す構成図である。
図２において、制御状態記憶部１ｃは、書き換え可能なＲＯＭ又は記憶媒体により構成され、照明器具２０の被制御状態、すなわち図３に示すように、オン又はオフ状態、及び複数の照明の群とそれに属する単一以上の複数の端末の関連付けの情報と、それぞれの端末のオン又はオフ状態の情報が記憶されるとともに、順次新規の制御状態データに書き換えられて更新される。
制御状態データ取得部１ｄは、論理回路又はプログラムで形成され、制御状態記憶部１ｃと接続して設けられ、通信線１ａを介して照明制御装置４と接続された通信部１ｂにより、照明制御装置４の後述する状態記憶部４ｆに記憶された制御状態データを照明制御装置４から取り込み、制御状態記憶部１ｃに書き込む。
【００１５】
ページデータ生成部１ｅは、論理回路又はプログラムで形成され、制御対象機器と端末が配置されたオフィスの部屋画像を記憶した画像情報記憶部１ｆ、少なくとも部屋画像の所定配置位置がＨＴＭＬ言語で記述されたＨＴＭＬ情報を記憶するＨＴＭＬ情報記憶部１ｇ、通信部１ｂ及び制御状態記憶部１ｃのそれぞれと接続される。
画像情報記憶部１ｆは、書き換え可能なＲＯＭ又は記憶媒体により構成され、例えば、図４に示される部屋画像１ｆ１は、オフィスの特定位置である群１Ａの部屋画像であり、この範囲に属する図示しない照明器具７０と机が配置された部屋の部屋画像１ｆ１を記憶し、同様に各照明の群が平面図で形成されるとともに、各群の照明に対して、図６に示すＯＦＦ状態１ｆ１、及び図７に示すＯＮ状態１ｆ２の２画像が準備される。
また、座席の配置が各部屋の平面図に示され、ネットワーク制御装置１に接続された作業者の端末のアイコンは、各照明の群に関連付けする前は、画面の下に表示され、照明の群に関連付けされると各座席上に表示することができる。
【００１６】
ページデータ生成部１ｅは、画像情報記憶部１ｆ、及びＨＴＭＬ情報記憶部１ｇを呼び出す。そして、制御状態記憶部１ｃに格納された制御状態データに基づいて、図６に示すように、特定の部屋画像１ｆ１が所定配置位置に配置された図４及び図５に示されるページデータ１ｅ１、１ｅ２を、ＷＷＷブラウザで表示し得るよう生成する。
【００１７】
図２の制御データ生成部１ｈは、論理回路又はプログラムで形成され、通信部１ｂを介して図９の照明制御装置４の照明制御部４ａに接続されるとともに、制御状態変更要求データが生成されて、端末装置２、２０によって選択された選択照明器具７、７０の制御状態を変更する。
図２のウェブサーバ１ｉは、インターネット接続部１ｊに接続され、そのインターネット接続部１ｊが電話回線やＬＡＮでもってネットワーク３と接続する通信インターフェイスを有している。ウェブサーバ１ｉは、ページデータ生成部１ｅ及び制御データ生成部１ｈに接続されている。
【００１８】
図３は、この発明の実施の形態１による節電制御システムの照明の群とこの群に属する端末の構成と、そのアドレス番号と照明の制御状態を示す図である。
図４は、この発明の実施の形態１による節電制御システムのページデータの一例を表し、端末を制御対象機器の群に関連付ける操作を行なう画面を示す図である。
図５は、この発明の実施の形態１による節電制御システムのページデータの一例を表し、端末を制御対象機器の群に関連付ける操作を行なう画面を示す図である。
【００１９】
図６は、この発明の実施の形態１による節電制御システムの照明オフ状態の部屋画像の一例を表す平面図である。
図７は、この発明の実施の形態１による節電制御システムの照明オン状態の部屋画像の一例を表す平面図である。
【００２０】
図８は、この発明の実施の形態１による節電制御システムの端末装置を示す構成図である。
図８において、端末装置２、２０は、例えばパーソナルコンピュータであり複数台で構成される。ブラウザ格納部２ａは、ハードディスク等の記憶媒体により構成され、ＷＷＷブラウザを格納する。端末側インターネット接続部として、電話回線やＬＡＮでもってネットワーク３に接続する端末側ネットワークインターフェイス２ｂが設けられている。表示部２ｃは、ＣＲＴにより、ネットワーク３を介して送信されたページデータをＷＷＷブラウザにより表示する。
【００２１】
図９は、この発明の実施の形態１による節電制御システムの照明制御装置を示す構成図である。
図９において、照明制御通信部４ｂは、配線割当テーブル４ｅ、照明制御部４ａ、及び状態記憶部４ｆのそれぞれと接続されるとともに、端末装置２、２０ではなく、ネットワーク制御装置１と通信線１ａを介して接続されている。壁スイッチ入力部４ｃは、壁スイッチ６に接続され、照明制御部４ａは、照明器具７に接続されている。配当割当テーブル４ｅの内容は、配線割当テーブル編集部４ｄにより編集される。
【００２２】
図１０は、この発明の実施の形態１による節電制御システムのオンしている最後の端末に照明制御サーバからメッセージが伝送された状態を示す図である。
図１１は、この発明の実施の形態１による節電制御システムの照明の群とこの群に属する端末の構成と、そのアドレス番号と照明の制御状態を示す図である。
【００２３】
次に、実際にこのオフィスにおける節電制御システムとしての照明管理システムによる節電の動作について説明する。
図１のシステムの場合、照明器具は２つの照明群ａと群ｂから構成されている。この２つの照明群ａと群ｂには、それぞれ端末２０と端末２が群を構成してその照明エリア内にある。このシステムの場合、各端末は、ネットワーク３を介してネットワーク制御装置１により、そのオンオフが定期的に監視されている。随時端末がシャットダウンすると、図２のネットワーク制御装置１内の制御状態記憶部１ｃに書き込まれた図３のオンオフフラグは、オン状態の“１”から“０”へと変わる。
【００２４】
ここで、照明群ａで照明されている複数の端末２０の内１台を残して他の端末がすべてシャットダウンすると、図３のようにオンオフのフラグのカウント値の計は“１”となる。この状態になると、ネットワーク制御装置１は、オン状態である最後の端末に図１０に示すように、オン状態である最後の端末であること示す情報、例えば「ＯＮしている最後のパソコンとなりました。シャットダウンする前に照明を消灯して下さい。」のメッセージを伝送してモニタに表示させる。
【００２５】
次に、この端末作業者は、このオン状態である最後の端末のブラウザを用いて照明群ａの照明を消灯することができる。ここで、メッセージは音声情報でも良い。
【００２６】
次に、図４、図５、図１１により各々の照明群と複数の端末との関連付けの操作について説明する。
まず、図４と図５は、端末に表示されたブラウザの画面であり、作業者は自分の端末の画面から、自分の端末がどの照明群に属するかを見極めて、端末と照明群の関連付けの設定操作を行なう。
【００２７】
図４の場合の設定作業は、照明群との関連付けが行われていない場合は、画面の下に作業者の自分端末のアイコンが表示される。作業者はこのアイコンをドラッグして作業者の端末が属する照明の群内にある机の上でドロップすることで設定作業は終了する。この机の上でアイコンをドロップしたことで、作業者の端末のアドレス番号、いわゆるＩＰアドレスは、図１のネットワーク制御装置１へ自動伝送され、図２に示すネットワーク制御装置１内の記憶装置の制御状態記憶部１ｃにあらかじめ設定された図１１の表の設定されるべき照明群へ登録され、作業者の端末と照明された照明群の関連付けが行われる。実際の設定は、図４の作業者の端末のアドレス番号、例えば“ＰＣ１９”は、照明の群のアドレス番号“４Ａ”に登録して照明群との関連付け作業を行なっている状態である。
【００２８】
図４のオフィスの部屋画像の左の数字は、照明の群のアドレス番号の縦方向のアドレス番号であり、部屋画像の上にあるアルファベットは、横方向のアドレス番号であり、これら縦と横のアドレス番号の組み合わせで照明の群の位置を示す。
【００２９】
図５の場合では、ブラウザの表示画面の下の入力セルに照明の群のアドレス番号を入力することで、作業者の端末のアドレス番号が自動でウェブサーバへ伝送され、図１１の表の設定されるべき照明群へ登録され、作業者の端末と照明された照明群の関連付けが行われる。
【００３０】
実際の設定は、図４で説明したと同じように、図５に示されるブラウザの表示画面を作業者は見ながら、オフィスの部屋画像の左の数字の照明の群の縦方向のアドレス番号と、部屋画像の上にあるアルファベットの横方向のアドレス番号の組み合わせと、机の位置番号をブラウザの表示画面の下の入力セルに入力することで作業者の端末と照明された照明群の関連付けが行われる。
【００３１】
また、直接天井の照明器具に照明の群のアドレス番号を記入しておき、その番号を見ながら入力セルに照明の群のアドレス番号をインプットすることも考えられる。
【００３２】
実施の形態１によれば、サーバがＯＮしている最後のパソコンであることを検知すると、その旨をその端末に通知することで、作業者に判断を促がすことが可能で、そのため、不用意に照明が消灯して作業に支障をきたすことはない。
また、この節電システムは通常の照明システムにこのシステムのソフトウェアをインストールするだけで構築できるため安価なシステムで節電を行なうことができる。
また、制御対象機器は、複数の群で構成され、また、複数の端末も複数の群で構成されているような大規模なシステムの場合でも、ネットワーク制御装置の記憶装置内には制御状態が順次書き換え可能な制御状態記憶部を設け、この制御状態記憶部には複数の制御対象機器の群のアドレス情報と、この個々の制御対象機器の群に属する単一もしくは複数の端末のアドレス情報が関連づけされて保存され、これら記憶された情報をモニタに表示できるページデータを生成するページデータ生成部を設けたことで、制御対象機器の群の構成や端末の群の構成が変更や追加された場合でも、その対応がモニタに表示されたページデータを見ながら変更や追加の操作が容易にできるという効果が得られる。
【００３３】
また、端末装置がインターネットを介して、専用の通信回線を設けることなく、例えば電話回線でもってウェブサーバと接続されて、世界中に設置された複数の端末装置を用いて、どこからでも照明器具の被制御状態を同時に監視することができる。
さらに、制御の対象となる端末からこの端末を制御対象機器の群に関連付ける動作は、作業者の端末に表示されたオフィスの部屋画像上の制御対象機器のアドレス番号あるいは複数の制御対象機器の群を示すレイアウト上の群のアドレス番号を、作業者の端末上の指定セルに数値入力するシステムとしたことで、システムを簡素化することができる。
また、制御対象機器本体にアドレス番号を明記したため、照明機器に対する端末の位置が直感的にわかりやすいため、制御の対象となる端末からこの端末を制御対象機器の群に関連付ける動作のミスがなくなり易い。
【００３４】
実施の形態２．
実施の形態２についても節電制御システムとしての照明管理システム場合を例にして以下に説明するが、実施の形態１との違いのみについて説明する。
図１２は、この発明の実施の形態２による節電制御システムの端末に人感センサを接続した状態を示す図である。
図１２においては、人感センサ３０を端末に配置している。
実施の形態１では、ネットワーク制御装置１は、複数の端末のオンオフ状態の定期的な監視を行なっていた。一方、実施の形態２では、図１２に示されるように、人感センサ３０を複数の各々の端末に接続し、人の在、非在を定期的に監視するようにした。人の非在を検知すると、その情報はその端末の記憶装置に保存される。
【００３５】
実施の形態１の場合、ネットワーク制御装置１が判断する状態は、ある群に属する複数の端末のうちオンオフ状態を定期的に監視し、最後の端末であることを判断していたが、この実施の形態２では、前述したように所定の群に属する複数の人感センサにより人の在、非在を検知すると、その情報はその端末の記憶装置に保存され、ここでネットワーク制御装置１は、各端末に記憶された在、非在情報を定期的に監視し、人の在である最後の端末であることをネットワーク制御装置１が判断した場合に、この端末に、照明エリアにいる最後の人である情報、例えば「あなたが、この照明エリアにいる最後の人となりました。席を離れる前に照明を消灯して下さい。」のメッセージを伝送し、モニタに表示させる。
次に、この端末作業者は、この端末のブラウザを用いて照明群の照明を消灯することができる。この実施の形態２についてもネットワーク制御装置の機能や、端末でブラウザを使用して、各々の照明群と、この照明群によって照明される複数の端末との関連付けの操作については、実施の形態１と同じであるため、その説明を省略する。
【００３６】
実施の形態２によれば、人感センサを用いているため、日中のこまめな自動消灯も可能であるため節電効果は高い。例えば、パソコンのＵＳＢインターフェイスに人感センサを接続すれば、ＵＳＢの制御電圧は５Ｖであり、人感センサの制御回路の電圧であるため、特別な専用ＡＣアダプタなども不要であり、専用の信号配線も不要となるため、安価なシステムが可能となる。
【００３７】
実施の形態３．
実施の形態１と同様にして、ネットワーク制御装置１は、複数の端末の省電力モード及び非省電力モードを定期的に監視し、所定の群に属する複数の端末のうち、非省電力モードの最後の端末であることをネットワーク制御装置１が判断をした場合に、この端末に、照明エリアにいる最後の人である情報、例えば「あなたのいる照明エリアで他に人がいなければ、席を離れる前に照明を消灯して下さい。」のメッセージを伝送しモニタに表示させる。次に、この端末作業者は、ブラウザを用いて照明群の照明を消灯することができる。
なお、この場合でも、ネットワーク制御装置の機能や、端末でブラウザを使用して各々の照明群に照明される複数の端末の関連付けの操作については実施の形態１と同じであるため、その説明を省略する。
【００３８】
実施の形態３によれば、複数の端末の各々の省電力モードを定期的に監視しているため、日中のこまめな自動消灯も可能であるため、節電効果は高く、人感センサが不要で、通常の照明システムにこのシステムのソフトウェアをインストールするだけで構築できるため安価なシステムで節電を行なうことができる。
また、電源をオフする場合、照明の場合では急に特定の個所が暗くなるが、照明を省電力モードにするため、完全に暗くはならない。従って、たびたびこの節電制御システムが働いても違和感なく節電を行なうことができる。
【００３９】
実施の形態４．
実施の形態３の節電制御システムでは、非省電力モードの最後の端末であることをネットワーク制御装置が判断した場合に、このネットワーク制御装置がこの端末に、この端末作業者がその情報を認識可能なように端末のモニタにメッセージを伝送し、この端末作業者がこの端末上からこのウェブサーバを介してこの端末が属する所定の群に関連付けられた照明の電源をブラウザ上からオフしていたが、実施の形態４は、オフではなく、照明器具を自動的に省電力モードにする構成としている。
この場合についても、ネットワーク制御装置の機能や、端末でブラウザを使用して各々の照明群と、この照明群によって照明される複数の端末との関連付けの操作については、実施の形態１と同じであるため、その説明を省略する。
【００４０】
実施の形態５．
実施の形態５は、各端末作業者が、各端末のオフ動作プログラムを動作させると、自動的にその端末がオフ状態になる情報をネットワーク制御装置１に伝送し、その情報は図２のネットワーク制御装置１の制御状態記憶部１ｃに保存されるようにした。
所定の群に属する複数の端末のうちオン状態である最後の端末であることを、ネットワーク制御装置１が判断した場合に、ネットワーク制御装置１は、オン状態である最後の端末であること示す情報、例えば「ＯＮしている最後のパソコンとなりました。シャットダウンする前に照明を消灯して下さい。」のメッセージをオン状態である最後の端末に伝送して、オン状態である最後の端末のモニタに表示させる。この後この端末作業者は、ブラウザを用いて照明群の照明を消灯することができる。
ここで、メッセージは音声情報でも良い。ウェブサーバの機能や、端末でブラウザを使用して、各々の照明群と、この照明群によって照明される複数の端末との関連付けの操作については、実施の形態１と同じであるため、その説明を省略する。
【００４１】
実施の形態５によれば、オフ動作プログラムを動作させた時のみ、自動的にその端末がオフ状態になる情報をネットワーク制御装置に伝送するため、ネットワークのトラフィックを軽減することができる。
【００４２】
実施の形態６．
実施の形態２では、人感センサ３０より人の在、非在を検知すると、その情報はその端末の記憶装置に保存され、ここでネットワーク制御装置１は各端末に記憶された在、非在情報を定期的に監視していたが、実施の形態６は、人感センサ３０より人の在、非在を検知すると、その情報を直接ネットワーク制御装置１に伝送し、制御状態記憶部１ｃに保存するようにしている。
複数の各々の端末に接続された人感センサ３０の検知機能の人の在、非在が非在となると、自動的にその非在情報をネットワーク制御装置１に伝送し、その情報はこのネットワーク制御装置１の制御状態記憶部１ｃに保存される。所定の群に属する複数の人感センサ３０の検知機能の人の在である最後の端末であることをネットワーク制御装置であるウェブサーバが判断をした場合に、この端末に、照明エリアにいる最後の人である情報、例えば「あなたが、この照明エリアにいる最後の人となりました。席を離れる前に照明を消灯して下さい。」のメッセージを伝送しモニタに表示させる。
この後この端末作業者は、ブラウザを用いて照明群の照明を消灯することができる。この実施の形態６についても、ネットワーク制御装置１の機能や、端末でブラウザを使用して、各々の照明群と、その照明群によって照明される複数の端末との関連付けの操作については、実施の形態１と同じであるため、その説明を省略する。
【００４３】
実施の形態７．
実施の形態３では、ネットワーク制御装置１は複数の端末の各々の省電力モードの定期的な監視を行なっていたが、実施の形態７は、複数の端末の各々が省電力モードになると、自動的にその端末が省電力モード状態である情報をネットワーク制御装置１に伝送し、その情報をこのネットワーク制御装置に保存させるようにしてもよい。
所定の群に属する複数の端末のうち、非省電力モードの最後の端末であることをネットワーク制御装置１が判断をした場合に、この端末に、照明エリアにいる最後の人である情報、例えば「あなたのいる照明エリアで他に人がいなければ、席を離れる前に照明を消灯して下さい。」のメッセージを伝送しモニタに表示させる。
この後この端末作業者は、ブラウザを用いて照明群の照明を消灯することができる。この実施の形態７についても、ウェブサーバの機能や、端末でブラウザを使用して、各々の照明群と、この照明群によって照明される複数の端末との関連付けの操作については、実施の形態１と同じであるため、その説明を省略する。
【００４４】
実施の形態８．
図１３は、この発明の実施の形態８による節電制御システムの自動で照明の群にこの群に属する端末を登録する構成を示す図である。
図１３において、天井には複数のアドレス設定された照明器具８０（制御対象機器）が配置され、この照明器具８０の下に端末８５が配置され、端末８５には位置検出用の受光センサ８６が天井に向けて接続されている。点灯制御回路８７（制御装置）からの点灯信号は、信号線８８を介してパワーリレー９０に伝達され、パワーリレー９０により照明器具８０を順次一灯ずつオンオフする。ネットワーク制御装置９５には、最大値の照明器具８０のアドレス信号と端末のアドレス信号が、端末から送信される。
図１４は、この発明の実施の形態８による節電制御システムの照明とセンサの出力関係を示す図である。
【００４５】
実施の形態８の節電制御システムとしての照明管理システムにおいては、図１３に示すように、点灯制御回路８７により、点灯信号が信号線８８を介して各照明器具８０のオンオフを行うパワーリレー９０に伝達され、照明器具８０を順次オンオフさせる。
また、点灯制御回路８７からは、各照明器具の順次点灯に伴い、同期信号と、点灯する照明器具８０のアドレス信号が端末に伝送される。端末には、受光センサ８６により受光された受光量を記憶する回路が設けられている。この受光量とアドレス信号は、一対となって端末の回路に記憶され、その受光量の値から最大値の受光量の照明器具を検出する演算回路を端末に設ける。この最大値を検出すると同時にこの最大値の照明器具８０のアドレス信号と端末のアドレス信号をサーバ機能を持ったネットワーク制御装置９５に伝送するようにしている。
【００４６】
また、図１４に示すように最大値からの差分が所定の値以下の照明器がある場合は、その端末は、その照明器具のグループでもあることが登録される。
【００４７】
実施の形態８によれば、端末の電源さえ入れておけば、制御の対象となる端末からこの端末を制御対象機器の群れに関連付ける動作を完全に自動化することができるため、手動で予め照明制御サーバへ登録する必要がなく、煩雑な作業が解消される。
また、端末が移動した場合の登録忘れがなくなるので、誤った照明制御での消灯が解消される。
【００４８】
【発明の効果】
この発明は、以上説明したように、制御対象機器をオンオフ制御する制御装置、制御対象機器に関連付けられて配置された端末装置、及び制御装置に通信線を介して接続されると共に端末装置とネットワークを介して接続され、制御対象機器の被制御状態及び制御対象機器と端末装置との関連付け情報を記憶する制御状態記憶部を有し、制御状態記憶部の情報を用いて制御対象機器の節電制御を行うネットワーク制御装置を備え、ネットワーク制御装置は、端末装置の稼動状態、停止状態を定期的に監視し、複数の端末装置の内、最後の稼動状態の一台を残して残り全てが稼動状態から停止状態に移行したときに、最後の稼動状態の端末装置に最後の端末装置であることを知らせるメッセージを伝送するので、最後の稼動状態の端末装置の作業者に判断を促がすことができ、そのため、不用意に照明が消灯して作業に支障をきたすことが避けられる。
【図面の簡単な説明】
【図１】この発明の実施の形態１による節電制御システムとしての照明システムを示す概念構成図である。
【図２】この発明の実施の形態１による節電制御システムのネットワーク制御装置を示す構成図である。
【図３】この発明の実施の形態１による節電制御システムの照明の群とこの群に属する端末の構成と、そのアドレス番号と照明の制御状態を示す図である。
【図４】この発明の実施の形態１による節電制御システムのページデータの一例を表し、端末を制御対象機器の群に関連付ける操作を行なう画面を示す図である。
【図５】この発明の実施の形態１による節電制御システムのページデータの一例を表し、端末を制御対象機器の群に関連付ける操作を行なう画面を示す図である。
【図６】この発明の実施の形態１による節電制御システムの照明オフ状態の部屋画像の一例を表す平面図である。
【図７】この発明の実施の形態１による節電制御システムの照明オン状態の部屋画像の一例を表す平面図である。
【図８】この発明の実施の形態１による節電制御システムの端末装置を示す構成図である。
【図９】この発明の実施の形態１による節電制御システムの照明制御装置を示す構成図である。
【図１０】この発明の実施の形態１による節電制御システムのオンしている最後の端末に照明制御サーバからメッセージが伝送された状態を示す図である。
【図１１】この発明の実施の形態１による節電制御システムの照明の群とこの群に属する端末の構成と、そのアドレス番号と照明の制御状態を示す図である。
【図１２】この発明の実施の形態２による節電制御システムの端末に人感センサを接続した状態を示す図である。
【図１３】この発明の実施の形態８による節電制御システムの自動で照明の群にこの群に属する端末を登録する構成を示す図である。
【図１４】この発明の実施の形態８による節電制御システムの照明とセンサの出力関係を示す図である。
【符号の説明】
１  ネットワーク制御装置、１ａ  通信線、１ｂ  通信部、
１ｃ  制御状態記憶部、１ｄ  制御状態データ取得部、
１ｅ  ページデータ生成部、１ｆ  画像情報記憶部、
１ｇ  ＨＴＭＬ情報記憶部、１ｈ  制御データ生成部、１ｉ  ウェブサーバ、
１ｊ  インターネット接続部、２，２０  端末、２ａ  ブラウザ格納部、
２ｂ  端末側ネットワークインターフェイス、２ｃ  表示部、
３  ネットワーク、４  照明制御装置（制御装置）、４ａ  照明制御部、
４ｂ  照明制御通信部、４ｃ  壁スイッチ入力部、
４ｄ  配線割当テーブル編集部、４ｅ  配線割当テーブル、
４ｆ  状態記憶部、５，５０  リモコンブレーカ、
６，６０  壁スイッチ、７，７０  照明器具（制御対象機器）、
３０  人感センサ、８０  照明器具、８５  端末、８６  受光センサ、
８７  点灯制御回路。
【図１】
2005004646.tif 000003
【図２】
2005004646.tif 000004
【図３】
2005004646.tif 000005
【図４】
2005004646.tif 000006
【図５】
2005004646.tif 000007
【図６】
2005004646.tif 000008
【図７】
2005004646.tif 000009
【図８】
2005004646.tif 000010
【図９】
2005004646.tif 000011
【図１０】
2005004646.tif 000012
【図１１】
2005004646.tif 000013
【図１２】
2005004646.tif 000014
【図１３】
2005004646.tif 000015
【図１４】
2005004646.tif 000016